(57)【要約】【課題】入金時と取消出金時に固有情報が不一致であった紙幣の判別を行うことのできる紙幣取扱装置を提供する。【解決手段】紙幣を取り扱う紙幣取扱装置であって、入出金口に投入された紙幣の固有情報を読み取って第１の固有情報として記憶部に記憶すると共に、紙幣を、直接、紙幣収納庫に収納し、紙幣の収納後に、入金の中止を受け付けた場合に、収納した紙幣を紙幣収納庫から繰り出し、該紙幣の固有情報を読み取って第２の固有情報として記憶部に記憶すると共に、該紙幣を入出金口に放出し、第１の固有情報と第２の固有情報との比較による第１の照合を行い、第１の照合の結果、第１の固有情報と第２の固有情報とが一致しない場合に、紙幣の固有情報を第３の固有情報として読み取ると共に、第３の固有情報と第１の固有情報との比較による第２の照合を行う。【選択図】図１
2014102727.tif 000002
【特許請求の範囲】
【請求項１】
紙幣を取り扱う紙幣取扱装置であって、
紙幣の投入および取出しが可能な入出金口と、
紙幣に固有の情報である固有情報を読み取る読取部と、
前記読み取った固有情報を記憶する記憶部と、
前記紙幣を収納する紙幣収納庫と、
紙幣の入金の中止の指示を受け付ける受付部と、
を備え、
前記入出金口に投入された紙幣の前記固有情報を読み取って第１の固有情報として前記記憶部に記憶すると共に、前記紙幣を、直接、前記紙幣収納庫に収納し、
前記紙幣の収納後に、前記入金の中止を受け付けた場合に、前記収納した紙幣を前記紙幣収納庫から繰り出し、該紙幣の前記固有情報を読み取って第２の固有情報として前記記憶部に記憶すると共に、該紙幣を前記入出金口に放出し、
前記第１の固有情報と前記第２の固有情報との比較による第１の照合を行い、
前記第１の照合の結果、前記第１の固有情報と前記第２の固有情報とが一致しない場合に、前記紙幣の固有情報を第３の固有情報として読み取ると共に、前記第３の固有情報と前記第１の固有情報との比較による第２の照合を行う
紙幣取扱装置。
【請求項２】
請求項１記載の紙幣取扱装置であって、
前記第２の照合の結果、前記第１の固有情報と固有情報が一致しない紙幣は、前記紙幣収納庫に収納する
紙幣取扱装置。
【請求項３】
請求項２記載の紙幣取扱装置であって、さらに、前記紙幣を一時的に保管可能な一時保管庫を備え、
前記第２の照合の結果、前記紙幣収納庫に収納した紙幣以外の紙幣は、前記一時保管庫に保管する
紙幣取扱装置。
【請求項４】
請求項３記載の紙幣取扱装置であって、
前記一時保管庫に保管した紙幣を、前記入出金口に放出する
紙幣取扱装置。
【請求項５】
紙幣取扱装置に紙幣を収納する紙幣収納方法であって、
前記紙幣取扱装置に投入された紙幣の固有情報を読み取って第１の固有情報として記憶部に記憶すると共に、前記紙幣を、直接、収納し、
前記紙幣の収納後に、入金の中止を受け付けた場合に、前記収納した紙幣を繰り出し、前記固有情報を読み取って第２の固有情報として前記記憶部に記憶すると共に、前記紙幣を出金し、
前記第１の固有情報と前記第２の固有情報との比較による第１の照合を行い、
前記第１の照合の結果、前記第１の固有情報と前記第２の固有情報とが一致しない場合に、前記紙幣の固有情報を第３の固有情報として読み取ると共に、前記第３の固有情報と前記第１の固有情報との比較による第２の照合をコンピューターに行わせる
紙幣収納方法。
【発明の詳細な説明】
【技術分野】
【０００１】
本発明は、紙幣取扱装置に関する。
【背景技術】
【０００２】
本技術分野の背景技術として、特開２０１２−１０８８２０号公報（特許文献１）がある。この公報には、入出金口から入金した紙幣を計数しながら、直接、収納庫に収納する紙幣入出金装置の技術が記載されている。
【先行技術文献】
【特許文献】
【０００３】
【特許文献１】特開２０１２−１０８８２０号公報
【発明の概要】
【発明が解決しようとする課題】
【０００４】
特許文献１の紙幣入出金装置は、紙幣を収納庫に収納した後に入金の取消返却が発生した場合、収納庫に収納した紙幣を入出金口に計数しながら放出する。この際、入金時に紙幣判定部で読み取った紙幣の固有情報（上記文献では記番号）と、取消返却時に読み取った紙幣の固有情報とを照合し、不一致の場合には、固有情報の読み取りと同時に取得していた紙幣の画像情報を表示部に表示し、係員が画像情報を目視して不一致の紙幣を判別する。しかし、このような方法では、係員の負担が大きくなると言った問題が指摘されていた。
【０００５】
そこで本発明では、入金時と取消出金時に固有情報が不一致であった紙幣の判別を行うことのできる紙幣取扱装置を提供する。
【課題を解決するための手段】
【０００６】
上記課題を解決するために、本発明は、入出金口に投入された紙幣の前記固有情報を読み取って第１の固有情報として記憶部に記憶すると共に、紙幣を、直接、紙幣収納庫に収納し、紙幣の収納後に、入金の中止を受け付けた場合に、収納した紙幣を紙幣収納庫から繰り出し、該紙幣の固有情報を読み取って第２の固有情報として記憶部に記憶すると共に、該紙幣を前記入出金口に放出し、第１の固有情報と第２の固有情報との比較による第１の照合を行い、第１の照合の結果、第１の固有情報と第２の固有情報とが一致しない場合に、紙幣の固有情報を第３の固有情報として読み取ると共に、第３の固有情報と第１の固有情報との比較による第２の照合を行う紙幣取扱装置を提供する。
【発明の効果】
【０００７】
本発明によれば、第１の照合の結果、第１の固有情報と第２の固有情報とが一致しない場合に、係員が固有情報が一致しない紙幣を判別する負担を軽減することができる。
上記した以外の課題、構成および効果は、以下の実施形態の説明により明らかにされる。
【図面の簡単な説明】
【０００８】
【図１】紙幣取扱装置１００の構成を示す説明図である。
【図２】紙幣取扱装置１００のブロック図である。
【図３】取引処理の流れを説明するフローチャートである。
【図４】取引処理の流れを説明するフローチャートである。
【図５】不一致報知画像の一例を示す説明図である。
【発明を実施するための形態】
【０００９】
Ａ．第１実施形態：
（Ａ１）装置構成：
図１は、本発明の第１実施形態としての紙幣取扱装置１００の構成を示す説明図である。紙幣取扱装置１００は、銀行などの金融機関によって管理され、顧客との金銭の授受に関する各種取引を実行する。紙幣取扱装置１００は、金融機関の窓口において、利用者（金融機関の係員）によって操作される装置である。なお、紙幣取扱装置１００は、顧客が直接各種取引を行うＡＴＭであるとしてもよい。
【００１０】
紙幣取扱装置１００は、入出金口４０と、紙幣判別部３０と、一時保管庫６０と、紙幣収納庫７１〜７４と、リジェクト庫７０とを備える。これら機能部は、紙幣を搬送可能な搬送路によって接続されている。搬送路については、後で詳しく説明する。
【００１１】
入出金口４０は、利用者が取引対象となる紙幣の投入および取り出しを行うための開閉シャッター付きの開口部である。入出金口４０に投入された紙幣は、搬送路を介して紙幣取扱装置１００の内部の各紙幣収納庫７１〜７４に搬送される。また、紙幣取扱装置１００から出金される紙幣は、紙幣収納庫７１〜７４から搬送路を介して入出金口４０に放出される。
【００１２】
紙幣判別部３０は、各種センサを備え、紙幣の種々の情報を読み取る。具体的には、紙幣判別部３０は、ＣＣＤカメラや搬送速度センサなどのセンサによって、紙幣の画像や、紙幣に印刷された記番号の読み取りを行う。読み取った紙幣の画像や記番号の情報は、金種の判別、紙幣の真偽の判別、リジェクト紙幣に該当するか否かの判別に用いられる。「リジェクト紙幣」とは、形状や、汚れ・変色の度合いなどが所定の基準を満たさず、取引対象として用いるのに適していない紙幣を意味する。なお、リジェクト紙幣には、偽造紙幣が含まれるものとしてもよい。
【００１３】
一時保管庫６０は、後述する取引処理において、紙幣を一時的に保管するための保管庫である。一時保管庫６０は、ロール状に巻かれたベルトを備え、紙幣をベルトを用いて巻き取って収納する。
【００１４】
紙幣収納庫７１〜７４は、入出金取引に用いられる紙幣を金種別に収納する収納庫である。紙幣収納庫７１〜７４は、紙幣を積層して収納する。紙幣収納庫７１〜７４は、出金の際には、積層された紙幣の一番上から１枚ずつ繰り出して出金する。
【００１５】
リジェクト庫７０は、紙幣収納庫７１〜７４から紙幣を出金する際に、紙幣判別部３０によってリジェクト紙幣であると判断された紙幣を、回収し収納するための収納庫である。なお、紙幣取扱装置１００は、出金の際に紙幣収納庫７１〜７４から繰り出した紙幣をリジェクト紙幣としてリジェクト庫７０に回収した場合は、リジェクト紙幣に代えて、紙幣収納庫７１〜７４から新たな紙幣を繰り出し出金する。
【００１６】
紙幣取扱装置１００は、搬送路を介して、上記説明した各機能部の間の紙幣のやり取りを行う。以下、搬送路について説明する。図示するように、紙幣取扱装置１００は、搬送路１０ｅ，１０ｄ，３０ａ，１０ａ，５０ａ，１０ｆを備える。これらの搬送路は、ループ状の搬送経路（以下、環状搬送経路１０とも呼ぶ）を構成する。搬送路は、実際には搬送ベルトと搬送ローラによって構成される。また、紙幣取扱装置１００は、搬送ベルトの駆動力として搬送駆動モータ１０ｍを備える。紙幣取扱装置１００は、搬送駆動モータ１０ｍの回転方向を制御することによって、環状搬送経路１０における紙幣の搬送方向の切り替えを行う。具体的には、紙幣取扱装置１００は、第１の搬送方向Ｄ１（図１では反時計回りの方向）と、第２の搬送方向Ｄ２（図１では時計回りの方向）とに紙幣の搬送方向を切り替えることが可能である。なお、駆動モータ１０ｍは説明の便宜上、本来の位置から取り出した位置に図示している。
【００１７】
また、紙幣取扱装置１００は、搬送路５０ｂを備える。搬送路５０ｂを、特に、水平搬送経路２０と呼ぶ。紙幣取扱装置１００は、駆動モータ２０ｍを備える。なお、駆動モータ２０ｍは、説明の便宜上、本来の位置から取り出した位置に図示している。紙幣取扱装置１００は、駆動モータ２０ｍの駆動力によって水平搬送経路２０を駆動し紙幣を搬送する。紙幣取扱装置１００は、駆動モータ２０ｍの回転方向を切り替えることによって紙幣を双方向に搬送することができる。
【００１８】
紙幣取扱装置１００は、環状搬送経路１０と水平搬送経路２０との接続部分にゲート１５を備える。紙幣取扱装置１００は、ゲート１５を切り替えることによって、紙幣の搬送経路を、環状搬送経路１０または水平搬送経路２０に切り替えることができる。
【００１９】
紙幣取扱装置１００は、環状搬送経路１０および水平搬送経路２０を主たる搬送経路として備える。紙幣取扱装置１００は、これら２つの主たる搬送経路から分岐して延びる搬送路４０ａ，６０ａ，７０ａ，７１ａ〜７４ａを備える（以下、分岐搬送路とも呼ぶ）。分岐搬送路は、各機能部である入出金口４０、一時保管庫６０、リジェクト庫７０、紙幣収納庫７１〜７４と、環状搬送経路１０および水平搬送経路２０との間を、双方向に紙幣を搬送可能である。
【００２０】
また、紙幣取扱装置１００は、環状搬送経路１０および水平搬送経路２０と、各分岐経路との分岐部分にゲート１４，５１〜５４，５５，６０ａを備える。紙幣取扱装置１００は、これらゲートを切り替えることによって、環状搬送経路１０および水平搬送経路２０と、各分岐経路との間の紙幣の搬送経路の接続・分離を行う。紙幣取扱装置１００は、環状搬送経路１０、水平搬送経路２０、および各分岐搬送路の搬送方向の切り替え、および、各ゲートの切り替えを行うことによって、紙幣取扱装置１００内で紙幣を搬送する経路を制御する。
【００２１】
上記した紙幣の搬送や取扱いの制御は、紙幣取扱装置１００が備える制御システムによって行われる。図２は、紙幣取扱装置１００が備える制御システムを説明するブロック図である。紙幣取扱装置１００は、装置全体を制御する制御部１６０を備える。制御部１６０は、主制御部１６１と、メモリ１６２と、上位通信部１６３とを備える。上位通信部１６３には、パーソナルコンピューターとして構成される端末２００が接続されている。主制御部１６１は、制御用のマイクロプロセッサによって構成されている。主制御部１６１は、紙幣取扱装置１００に各種処理を実行させるための処理実行部として機能する。
【００２２】
メモリ１６２は主記憶装置として機能する。メモリ１６２は、主制御部１６１が実行する各種のプログラムや、紙幣判別部３０から取得した紙幣の記番号など、入出金される紙幣の種々のデータを記憶する。上位通信部１６３は、端末２００との通信を制御する。メモリ１６２に格納された紙幣に関する情報は、上位通信部１６３によって、端末２００に送信される。
【００２３】
制御部１６０は、主制御部１６１によって、紙幣判別部３０と、入出金口４０と、一時保管庫６０と、リジェクト庫７０と、紙幣収納庫７１〜７４と、搬送路１６４とを制御する。なお、搬送路１６４は、紙幣取扱装置１００が備える各搬送路の総称である。
【００２４】
制御部１６０が制御するこれら各機能部は、各々、各機能部の動作を制御するマイクロプロセッサを備える。各機能部のマイクロプロセッサは、制御部１６０からの受信する制御信号に対応して、各機能部の動作を制御する。
【００２５】
図示するように、主制御部１６１は、搬送路１６４の制御として、検知センサ１６５、駆動モータ１６６、およびゲート１６７の制御を行う。なお、駆動モータ１６６は、搬送駆動モータ１０ｍ，２０ｍの総称である。ゲート１６７は紙幣取扱装置１００が備える各ゲート１４，１５，５１〜５５の総称である。
【００２６】
検知センサ１６５は、各搬送路上や各機能部に設置されたセンサである。検知センサ１６５は、搬送される紙幣の有無、搬送路上の紙幣の位置、搬送される紙幣の数など、紙幣の搬送状態を検知する。主制御部１６１は、検知センサ１６５からの検知信号を監視して、紙幣の通過や搬送異常を検知する。
【００２７】
また、紙幣取扱装置１００は、表示部８０と操作部９０とを備える。表示部８０および操作部９０は、制御部１６１によって制御される。表示部８０は、利用者に種々の情報を報知するための画像を表示する。例えば、表示部８０は、利用者が紙幣取扱装置１００に紙幣を入金し、紙幣取扱装置１００における入金処理が完了した場合に処理完了を示す画像を表示する。また、表示部８０は、紙幣取扱装置１００においてエラーが発生した場合に、エラー表示画像を表示する。
【００２８】
操作部９０は、利用者が紙幣取扱装置１００を操作する際に用いられる。操作部９０は、取引開始ボタン、入金開始ボタン、取引成立ボタン、取引中止ボタンなど、後述する取引処理において利用者から受け付ける各種操作指示に対応した操作ボタンを備える。主制御部１６１は、操作部９０を介して利用者から操作指示を受け付けると、各指示内容に対応した処理を行う。
【００２９】
（Ａ２）取引処理：
次に、制御部１６０が行う取引処理について説明する。取引処理は、利用者が紙幣取扱装置１００に紙幣を入金する際に、制御部１６０が紙幣取扱装置１００を制御して行う処理である。図３，図４は、制御部１６０が行う取引処理の流れを説明するフローチャートである。
【００３０】
取引処理は、利用者が、操作部９０に設けられた取引開始ボタンを押下することによって開始される。制御部１６０は、取引処理を開始すると、前回の取引処理でメモリ１６２に記憶した記番号情報を消去する（ステップＳ１１０）。記番号情報とは、紙幣取扱装置１００が各紙幣の記番号を紙幣判別部３０によって読み取って記憶した情報である。記番号情報には、金種情報が含まれる。
【００３１】
記番号情報を消去した後、制御部１６０は、前回の取引処理でメモリ１６２に記憶した収納順序情報を消去する（ステップＳ１１２）。収納順序情報とは、前回の取引処理で紙幣収納庫に収納した紙幣の記番号を、各紙幣収納庫７１〜７４ごとに、収納した順に記録した情報である。
【００３２】
記番号情報および収納順序情報を消去した後、制御部１６０は、入出金口４０に設置された検知センサによって、入出金口４０に紙幣が投入されたことを検知し（ステップＳ１１４：ＹＥＳ）、利用者が入金開始ボタンを押下することによって（ステップＳ１１６：ＹＥＳ）、入金動作を開始する（ステップＳ１１８）。
【００３３】
入金動作とは、紙幣取扱装置１００が紙幣を紙幣収納庫７１〜７４に収納する動作である。入金動作を開始すると、制御部１６０は、搬送路を制御し、入出金口４０から一枚ずつ紙幣を繰り出し、搬送路３０ａへ搬送する。このとき、制御部１６０は、紙幣が環状搬送経路１０を第２の搬送方向Ｄ２に搬送されるように搬送路を制御する。制御部１６０は、紙幣判別部３０を制御して、搬送路３０ａを通過する紙幣の記番号および金種を読み取る。また、制御部１６０は、紙幣判別部３０を制御して、搬送される紙幣がリジェクト紙幣に該当するか否かを判断する（ステップＳ１２０）。入金した紙幣の中にリジェクト紙幣が含まれるときは、搬送路を制御して、リジェクト紙幣のみ分離して、一時保管庫６０に一時的に保管する。リジェクト紙幣は水平搬送経路２０によって一時保管庫６０に搬送される。そして、制御部１６０は、搬送路を制御して、リジェクト紙幣以外の紙幣を、金種毎に、紙幣収納庫７１〜７４のいずれかに収納する。
【００３４】
投入された全ての紙幣について、一時保管庫６０または紙幣収納庫７１〜７４への収納が終わると、制御部１６０は、一時保管庫６０に保管したリジェクト紙幣を、水平搬送経路２０によって環状搬送経路１０に搬送する。その後、制御部１６０は、リジェクト紙幣を、環状搬送経路１０を第１の搬送方向Ｄ１の方向に搬送して、入出金口４０に放出する。リジェクト紙幣は利用者を介して顧客に返却される（ステップＳ１２１）。この一連の処理によって制御部１６０は入金動作を終了する。
【００３５】
入金動作の終了後、制御部１６０は、リジェクト紙幣ではない紙幣として紙幣収納庫７１〜７４に収納された紙幣についての記番号情報を「第１の記番号情報」としてメモリ１６２に記憶する（ステップＳ１２２）。また、制御部１６０は、入金動作によって収納した紙幣の記番号を、各紙幣収納庫７１〜７４ごとに、収納した紙幣の順番通りに記録した情報を、収納順序情報としてメモリ１６２に記憶する（ステップＳ１２４）。
【００３６】
その後、制御部１６０は、紙幣取扱装置１００が有する表示部８０に、紙幣収納庫７１〜７４に収納された紙幣の総額（入金結果）を表示する。利用者は、入金結果を顧客に提示し、顧客による入金の承諾を得た場合には、操作部９０の取引成立ボタンを押下する。制御部１６０は、取引成立ボタンの押下を検知すると、取引が成立したとみなして（ステップＳ１２６：成立）、取引処理を終了する。
【００３７】
一方、顧客が入金を取り消したい場合、利用者は操作部９０の取引中止ボタンを押下する。制御部１６０は、取引中止ボタンの押下を検知すると、取引が不成立であるとみなして（ステップＳ１２６：不成立）、取消出金動作を開始する（図４：ステップＳ１２８）。
【００３８】
制御部１６０は、取消出金動作を開始すると、メモリ１６２に記憶した収納順序情報を読み出し、収納順序情報として記録した記番号の順番通りに、本取引処理によって各紙幣収納庫７１〜７４に収納した紙幣の枚数分、各紙幣収納庫７１〜７４から紙幣を繰り出す。制御部１６０は、繰り出した紙幣を、環状搬送経路１０によって第１の搬送方向Ｄ１に搬送する。そして、制御部１６０は、紙幣判別部３０によって、紙幣収納庫７１〜７４から繰り出した紙幣の記番号を読み取り、第２の記番号情報としてメモリ１６２に記憶する（ステップＳ１３０）。その後、制御部１６０は、紙幣を入出金口４０から放出する。
【００３９】
制御部１６０は、メモリ１６２に記憶した第１の記番号情報と第２の記番号情報とを読み出し、２つの記番号情報の比較・照合を行う（ステップＳ１３４）。制御部１６０は、２つの記番号情報の比較・照合を行うことにより、入金動作よって紙幣収納庫７１〜７４に収納した紙幣と、取消出金動作によって返金する紙幣とが一致しているか否かの確認を行う。
【００４０】
確認の結果、第１の記番号情報と第２の記番号情報とが一致している場合には（ステップＳ１３６：ＮＯ）、制御部１６０は、入出金口４０に放出した紙幣を顧客に返却してもよい旨を示す表示画像（取消出金完了表示）を表示部８０に表示する（ステップＳ１５０）。その後、制御部１６０は、取引処理を終了する。利用者は、取消出金完了表示を視認し、入出金口４０に放出された紙幣を顧客に返却する。
【００４１】
一方、第１の記番号情報と第２の記番号情報とを比較・照合した結果、２つの記番号情報が不一致であった場合には（ステップＳ１３６：ＹＥＳ）、制御部１６０は、記番号情報が不一致であった旨を示す画像（不一致報知画像）を表示部８０に表示する（ステップＳ１３８）。
【００４２】
図５は、不一致報知画像の一例を示す説明図である。図示するように、制御部１６０は、表示部８０に不一致報知画像を表示することによって、利用者に、入出金口４０に放出した紙幣を一旦抜き取って入出金口４０に再投入するよう促す。
【００４３】
ここで、第１の記番号情報と第２の記番号情報とが不一致である場合とは、例えば以下に示す（１）、（２）の場合である。
（１）取消出金動作において、紙幣収納庫７１〜７４から紙幣を１枚ずつ繰り出す際に、紙幣が重なって繰り出される場合である。この場合は、通常より多い枚数の紙幣が繰り出され、入出金口４０に放出される。よって、第１の記番号情報に記録されていないが、第２の記番号情報には記録されている記番号の紙幣（余剰紙幣）が発生する。
（２）取消出金動作において、紙幣収納庫７１〜７４から繰り出された紙幣の記番号を紙幣判別部３０で読み取る際に、紙幣が傾いていたり折れ曲がっていることが原因で、記番号が読み取れなかった場合である。この場合は、入出金口４０に放出される紙幣と、入金した紙幣は同一となり、紙幣の枚数も同じである。しかし、第１の記番号情報には記録されているが第２の記番号情報には記録されていない記番号の紙幣が発生する。
上記（１）、（２）のような場合に、制御部１６０は、表示部８０に不一致報知画像を表示する。
【００４４】
利用者は、表示部８０に表示された不一致報知画像を視認し、入出金口４０に放出された紙幣を抜き取って、紙幣を整えた後、再び入出金口４０に投入する。そして、利用者が入金開始ボタンを押下すると、制御部１６０は、入金開始ボタンの押下を検知し、再度、搬送路を制御して入出金口４０の紙幣を紙幣判別部３０に搬送する。
【００４５】
制御部１６０は、紙幣判別部３０によって搬送される紙幣の記番号を第３の記番号情報として読取る（ステップＳ１４０）。そして、制御部１６０は、第３の記番号情報を第１の記番号情報と比較・照合し、搬送される紙幣を、紙幣収納庫７１〜７４と、一時保管庫６０とに振り分ける（ステップＳ１４２）。具体的には、制御部１６０は、第１の記番号情報に無い記番号の紙幣であると判別した余剰紙幣を、紙幣収納庫７１〜７４に振り分けて搬送する。また、制御部１６０は、第１の記番号情報に該当する記番号の紙幣と、記番号が読み取れなかった紙幣とを、一時保管庫６０に振り分けて搬送する。なお、制御部１６０が不一致報知画像を表示する処理（ステップＳ１３８）を省略するとしてもよい。つまり、第１の記番号情報と第２の記番号情報とが不一致であった場合に（ステップＳ１３６：ＹＥＳ）、制御部１６０は、自動的に紙幣を紙幣判別部３０に搬送し、紙幣の記番号を第３の記番号情報として読取るとしてもよい（ステップＳ１４０）。
【００４６】
その後、制御部１６０は、一時保管庫６０に振り分けた紙幣を、再度、紙幣判別部３０を経由して入出金口４０に放出する（ステップＳ１４４）。その際、制御部１６０は、再び、紙幣判別部３０によって、入出金口４０に放出する紙幣の記番号を読み取り、第４の記番号情報としてメモリ１６２に記憶する。入出金口４０に紙幣を放出した後、制御部１６０は、第４の記番号情報と第１の記番号情報とを比較・照合する（ステップＳ１４６）。制御部１６０は、２つの記番号情報を一致している場合には（ステップＳ１４８：ＹＥＳ）、取消出金完了表示画像を表示部８０に表示する（ステップＳ１５０）。その後、制御部１６０は、取引処理を終了する。利用者は、取消出金完了表示を視認し、入出金口４０に放出された紙幣を顧客に返却する。
【００４７】
一方、第１の記番号情報と第４の記番号情報とを比較した結果、２つの記番号情報が一致しなかった場合には（ステップＳ１４８：ＮＯ）、制御部１６０は、ステップＳ１３８から処理を繰り返し行う。すなわち、制御部１６０は、入金した紙幣と、返却する紙幣とが一致するまで、ステップＳ１３８〜Ｓ１４８の処理を繰り返し行う。制御部１６０は、このようにして取引処理を行う。この結果、制御部１６０は、出金した紙幣から余剰紙幣と、記番号の読み取れなかった紙幣を、大凡無くすことができる。
【００４８】
以上、説明したように、紙幣取扱装置１００は、入金された紙幣を直接に紙幣収納庫７１〜７４に収納する。従って、入出金口４０に投入された紙幣を、一旦、計数しながら一時保管庫６０に保管してから、紙幣収納庫７１〜７４収納する入金方法と比較して、処理を高速に行うことができる。また、紙幣取扱装置１００は、取消出金動作時に、入金時に紙幣収納庫に収納した紙幣を出金する。従って、顧客が入金した現物の紙幣を返却することができる。
【００４９】
紙幣取扱装置１００は、第１の記番号情報と第２の記番号情報との比較・照合を行い、照合の結果が不一致であった場合に、第３の記番号情報として、紙幣の記番号を読み取って、第１の記番号情報と第３の記番号情報との比較・照合を行って不一致である紙幣の振り分けを行う。従って、利用者が不一致である紙幣を判別する作業を回避することができ、利用者の負担を軽減することができる。また、紙幣取扱装置１００は、第１の記番号情報と第３の記番号情報との比較・照合の結果、余剰紙幣は紙幣収納庫７１に収納するので、余剰紙幣を利用者が取り扱うといった作業を回避することができる。結果として、紙幣取扱装置１００は、入金取消が発生した場合に、入金取消ボタンの操作から顧客に紙幣を返却するまでの時間を、従来より大幅に短縮することができる。
【００５０】
紙幣取扱装置１００は、一時保管庫６０を有するので、余剰紙幣以外の紙幣を、一時保管庫６０に一時的に保管することができる。紙幣取扱装置１００は、一時保管庫６０に保管した紙幣を入出金口４０に放出するので、余剰紙幣を除外した紙幣を迅速に顧客に返却することができる。また、紙幣取扱装置１００は、一時保管庫６０から入出金口４０に紙幣を搬送する際に、第１の記番号情報と第４の記番号情報との比較を行うので、第３の記番号情報として紙幣の記番号を読み取った際に読み取りができなかった紙幣があった場合に、再度、その紙幣の記番号を読み取って、第１の記番号情報との一致を確認することができ、顧客が入金した紙幣と、顧客に返却する紙幣との同一性を高めることができる。
【００５１】
Ｂ．変形例：
なお、この発明は上記の実施形態や実施形態に限られるものではなく、その要旨を逸脱しない範囲において種々の態様において実施することが可能であり、例えば次のような変形も可能である。
（Ｂ１）変形例１：
上記実施形態においては、紙幣取扱装置１００は金融機関の窓口において係員が取り扱う装置として説明したが、紙幣取扱装置１００は、顧客が直接取り扱うＡＴＭであるとしてもよい。この場合、取引処理において、不一致画像を表示部に表示し（図４：ステップＳ１３８）、利用者に、入出金口４０に放出した紙幣を一旦抜き取って入出金口４０に再投入するよう促す処理を省略する。また、利用者は、不一致報知画像を視認し、入出金口４０に放出された紙幣を抜き取り、紙幣を整えた後、再び入出金口４０に投入するといった運用を省略する。このようにすることで、ＡＴＭにおいて顧客が余剰紙幣を直接取り扱うといった運用を回避することができる。
【００５２】
（Ｂ２）変形例２：
上記実施形態においては、紙幣取扱装置１００は、余剰紙幣を紙幣収納庫７１〜７４に収納するとしたが、余剰紙幣を、別個分離して保管するとしてもよいし、紙幣取扱装置１００に別個設けた紙幣取出口から放出するとしてもよい。また、上記実施形態においては、余剰紙幣以外の紙幣は一時保管庫６０に一時的に保管するとしたが、それに限ることなく、紙幣取扱装置１００に別個設けた紙幣取出口から放出するとしてもよい。そして、係員が、余剰紙幣を取り除いた紙幣を顧客に返却するとしてもよい。
【００５３】
上記実施形態においては、一時保管庫６０に保管した紙幣を、入出金口４０に放出するとしたが、例えば、一時保管庫６０がシャッターを備えており、利用者がそのシャッターを開けて、一時保管庫６０から直接に紙幣を取り出して、顧客に返却するとしてもよい。
【００５４】
（Ｂ３）変形例３：
本実施形態においては、紙幣の固有情報として、紙幣に印刷されている記番号を採用したが、それに限らず、各紙幣を判別可能な情報であえば、種々の情報を採用することができる。例えば、各紙幣に固有の記号や、コード（バーコード）が印刷されている場合や、ＩＣチップが埋め込まれている場合には、紙幣判別部３０でこれら情報を読み取って比較・照合を行うことによって、上記実施例と同様の効果を得ることができる。
【符号の説明】
【００５５】
１０ａ，１０ｄ，３０ａ，４０ａ，５０ａ，５０ｂ，６０ａ，７０ａ…搬送路
１０…環状搬送経路
２０…水平搬送経路
１０ｍ，２０ｍ…駆動モータ
１４，１５，５１〜５５…ゲート
３０…紙幣判別部
４０…入出金口
６０…一時保管庫
７０…リジェクト庫
７１〜７４…紙幣収納庫
８０…表示部
９０…操作部
１００…紙幣取扱装置
１６０…制御部
１６１…主制御部
１６２…メモリ
１６３…上位通信部
１６５…検知センサ
１６６…駆動モータ
１６７…ゲート
２００…端末
Ｄ１…第１の搬送方向
Ｄ２…第２の搬送方向
【図１】
2014102727.tif 000003
【図２】
2014102727.tif 000004
【図３】
2014102727.tif 000005
【図４】
2014102727.tif 000006
【図５】
2014102727.tif 000007